(57)【特許請求の範囲】
【請求項１】
ＧＳＭピコ基地局が、周波数ポイント集合のうちの１つの周波数ポイントを周波数検索する際に、基準基地局から送信された前記周波数ポイントのマルチフレームの１フレームを受信するステップと、
前記フレームの所定期間の受信信号強度を示す指標であるＲＳＳＩ値に基づいて、前記周波数ポイントが放送制御チャネルＢＣＣＨの搬送周波数ポイントであるか否かを判定するステップと、
前記周波数ポイントが放送制御チャネルＢＣＣＨの搬送周波数ポイントであると判定した場合、周波数補正チャネルＦＣＣＨの検出を行い、検出したＦＣＣＨに基づいて前記周波数ポイントの周波数ポイント情報を取得するステップと、
前記周波数ポイントが放送制御チャネルＢＣＣＨの搬送周波数ポイントではないと判定した場合、前記周波数ポイントの周波数検索が失敗したものとして、周波数補正チャネルＦＣＣＨの検出を禁止し、次の周波数ポイントのマルチフレームの受信を待機するステップと、
を含むことを特徴とする周波数検索方法。
【請求項２】
前記周波数ポイントが放送制御チャネルＢＣＣＨの搬送周波数ポイントであると判定した場合、周波数補正チャネルＦＣＣＨの検出を行う前に、
前記フレーム内のすべての所定期間のＲＳＳＩ値の平均値が、予め設定された平均値の閾値未満であると判定するステップをさらに含むことを特徴とする請求項１に記載の周波数検索方法。
【請求項３】
前記すべての所定期間のそれぞれは、１タイムスロット未満であることを特徴とする請求項２に記載の周波数検索方法。
【請求項４】
前記すべての所定期間は、各所定期間の時間長が同一であり、隣接する所定期間の開始時間の時間間隔が前記各所定期間の時間長以下であることを特徴とする請求項２に記載の周波数検索方法。
【請求項５】
前記ＧＳＭピコ基地局が前記フレームのデータを受信した後、
前記フレームのＲＳＳＩ値の最大値、前記フレームのＲＳＳＩ値の最小値を設定し、初期化するステップをさらに含むことを特徴とする請求項１乃至４のいずれかに記載の周波数検索方法。
【請求項６】
前記所定期間のＲＳＳＩ値に基づいて、前記周波数ポイントが放送制御チャネルＢＣＣＨの搬送周波数ポイントであるか否かを判定することは、
前記所定期間のＲＳＳＩ値を取得し、当該ＲＳＳＩ値に基づいて前記フレームのＲＳＳＩ値の最大値または前記フレームのＲＳＳＩ値の最小値を更新し、前記フレームのＲＳＳＩ値の最大値と前記フレームのＲＳＳＩ値の最小値との差を、判断すべき差とし、差判断ステップを実行するステップと、
前記判断すべき差が、予め設定された差の閾値を超えているか否かを判断し、超えていると判断した場合には、当該周波数ポイントが放送制御チャネルＢＣＣＨの搬送周波数ポイントではないと判定し、超えていないと判断した場合には、終了判断ステップを実行する前記差判断ステップと、
前記フレームには、ＲＳＳＩ値を取得されていない所定期間があるか否かを判断し、ＲＳＳＩ値を取得されていない所定期間があると判断した場合には、前記フレームの次の所定期間のＲＳＳＩ値を取得し、前記フレームのＲＳＳＩ値の最大値または前記フレームのＲＳＳＩ値の最小値を更新し、前記フレームのＲＳＳＩ値の最大値と前記フレームのＲＳＳＩ値の最小値との差を、判断すべき差とし、前記差判断ステップを実行し、ＲＳＳＩ値を取得されていない所定期間がないと判断した場合には、前記周波数ポイントが放送制御チャネルＢＣＣＨの搬送周波数ポイントであると判定する前記終了判断ステップと、を含むことを特徴とする請求項５に記載の周波数検索方法。
【請求項７】
前記ＲＳＳＩ値に基づいて前記フレームのＲＳＳＩ値の最大値または前記フレームのＲＳＳＩ値の最小値を更新することは、
前記ＲＳＳＩ値が前記フレームのＲＳＳＩ値の最大値よりも大きいか否かを判断し、前記ＲＳＳＩ値が前記フレームのＲＳＳＩ値の最大値よりも大きいと判断した場合には、前記フレームのＲＳＳＩ値の最大値を前記ＲＳＳＩ値に更新し、前記ＲＳＳＩ値が前記フレームのＲＳＳＩ値の最大値よりも大きくないと判断した場合には、前記フレームのＲＳＳＩ値の最大値をそのままに維持することと、
前記ＲＳＳＩ値が前記フレームのＲＳＳＩ値の最小値よりも小さいか否かを判断し、前記ＲＳＳＩ値が前記フレームのＲＳＳＩ値の最小値よりも小さいと判断した場合には、前記フレームのＲＳＳＩ値の最小値を前記ＲＳＳＩ値に更新し、前記ＲＳＳＩ値が前記フレームのＲＳＳＩ値の最小値よりも小さくないと判断した場合には、前記フレームのＲＳＳＩ値の最小値をそのままに維持することを含むことを特徴とする請求項６に記載の周波数検索方法。
【請求項８】
前記判断すべき差が予め設定された差の閾値を超えているかを判断した後、さらに、
判断すべき差が予め設定された差の閾値を超えた累計回数を、累計し記録するステップと、
前記累計回数が予め設定された累計閾値を超えていると判定するステップと、
当該周波数ポイントが放送制御チャネルＢＣＣＨの搬送周波数ポイントではないとの判定を実行するステップと、を含むことを特徴とする請求項７に記載の周波数検索方法。
【請求項９】
前記累計回数が予め設定された累計閾値を超えていないと判定した場合、さらに、
前記終了判断ステップを実行するステップを含むことを特徴とする請求項８に記載の周波数検索方法。
【請求項１０】
前記予め設定された累計閾値は、下式により計算されることを特徴とする請求項８に記載の周波数検索方法。
0005576495.tif 000004
（ただし、ＲＳＳＩｅｒｒ＿Ｔｈは、前記予め設定された累計閾値であり、
Ｍは、前記フレームの１タイムスロットから選択される符号の数であり、
Ｗｉｎ＿Ｌｅｎは、前記所定期間から選択される符号の数であり、
Ｓｌｉｄｅ＿Ｌｅｎは、前記隣接する所定期間の開始時間の時間間隔から選択される符号の数である。）
【請求項１１】
ＧＳＭピコ基地局が、予め配置された周波数ポイント集合から周波数を検索するための周波数検索装置であって、
前記周波数ポイント集合のうちの１つの周波数ポイントを検索する際に、基準基地局から送信された当該周波数ポイントのマルチフレームの１フレーム分のデータを受信する受信モジュールと、
前記フレームの所定期間の受信信号強度を示す指標であるＲＳＳＩ値を取得する取得モジュールと、
前記取得モジュールにより取得された所定期間のＲＳＳＩ値に基づいて、前記周波数ポイントが放送制御チャネルＢＣＣＨの搬送周波数ポイントであるか否かを判断し、前記周波数ポイントが放送制御チャネルＢＣＣＨの搬送周波数ポイントであると判断した場合には、ＦＣＣＨ検出モジュールをトリガリングし、前記周波数ポイントが放送制御チャネルＢＣＣＨの搬送周波数ポイントではないと判断した場合には、前記周波数ポイントの検索が失敗したものとして、前記ＦＣＣＨ検出モジュールをトリガリングすることなく、前記受信モジュールを、前記周波数ポイント集合のうちの次の周波数ポイントのマルチフレームの１フレーム分のデータを受信するようにトリガリングするＢＣＣＨ搬送周波数判断モジュールと、
前記取得モジュールにより取得された前記フレーム内のすべての所定期間のＲＳＳＩ値に基づいて周波数補正チャネルＦＣＣＨを検出し、周波数補正チャネルＦＣＣＨを検出した場合、周波数ポイント情報取得モジュールをトリガリングし、周波数補正チャネルＦＣＣＨを検出しなかった場合、前記受信モジュールを、前記周波数ポイント集合のうちの次の周波数ポイントのマルチフレームの１フレーム分のデータを受信するようにトリガリングする前記ＦＣＣＨ検出モジュールと、
前記ＦＣＣＨ検出モジュールにより検出された周波数補正チャネルＦＣＣＨに基づいて前記周波数ポイントの周波数ポイント情報を取得する前記周波数情報取得モジュールと、
を備えることを特徴とする周波数検索装置。
【請求項１２】
前記ＢＣＣＨ搬送周波数判断モジュールは、
前記取得モジュールにより取得された少なくとも１つの所定期間のうちの１所定期間のＲＳＳＩ値を現在の所定期間のＲＳＳＩ値とし、この現在の所定期間のＲＳＳＩ値に基づいて、前記フレーム内のＲＳＳＩ値の最大値と前記フレーム内のＲＳＳＩ値の最小値との差を決定し、ＲＳＳＩ差判断サブモジュールに出力するＲＳＳＩ差決定サブモジュールと、
入力された差が、予め設定された差の閾値を超えているかを判断し、超えている場合には、累計回数設定サブモジュールをトリガリングし、超えていない場合には、累計回数判断サブモジュールをトリガリングする前記ＲＳＳＩ差判断サブモジュールと、
前記差の閾値を超えた累計回数を設定し、累計回数判断サブモジュールをトリガリングする前記累計回数設定サブモジュールと、
前記フレームの累計回数が、予め設定された累計閾値を超えているか否かを判断し、超えている場合には、前記受信モジュールを、前記周波数ポイント集合のうちの次の周波数ポイントのマルチフレームの１フレーム分のデータを受信するようにトリガリングし、超えていない場合には、終了判断サブモジュールをトリガリングする前記累計回数判断サブモジュールと、
前記フレーム内にはＲＳＳＩ値を取得されていない所定期間があるか否かを判断し、ＲＳＳＩ値を取得されていない所定期間があると判断した場合には、前記ＲＳＳＩ差決定サブモジュールを、前記取得モジュールにより取得された前記所定期間の次の所定期間のＲＳＳＩ値を処理するようにトリガリングし、ＲＳＳＩ値を取得されていない所定期間がないと判断した場合には、前記ＦＣＣＨ検出モジュールをトリガリングする前記終了判断サブモジュールと、
を含むことを特徴とする請求項１１に記載の周波数検索装置。
【請求項１３】
前記ＦＣＣＨ検出モジュールは、
前記取得モジュールにより取得されたすべての所定期間のＲＳＳＩ値に基づいて、前記フレームのＲＳＳＩ値の平均値を決定するＲＳＳＩ平均値決定サブモジュールと、
前記フレームのＲＳＳＩ値の平均値が、予め設定された平均値の閾値未満であるか否かを判断し、閾値未満である場合には、ＦＣＣＨ検出サブモジュールをトリガリングし、閾値未満でない場合には、前記受信モジュールを、前記周波数ポイント集合のうちの次の周波数ポイントのマルチフレームの１フレーム分のデータを受信するようにトリガリングするＲＳＳＩ平均値判断サブモジュールと、
周波数補正チャネルＦＣＣＨを検出する前記ＦＣＣＨ検出サブモジュールと、
を含むことを特徴とする請求項１１または１２に記載の周波数検索装置。                                                                
【発明の詳細な説明】
【技術分野】
【０００１】
本発明は、通信分野に関し、具体的には、周波数検索方法及び装置に関するものである。
【背景技術】
【０００２】
ＧＳＭピコ基地局（Ｐｉｃｏ  Ｂａｓｅ  Ｓｔａｔｉｏｎ）は、主に室内でのカバーに対応するために研究開発された小型の短距離用ピコセル基地局である。このような基地局は、大規模に配置されると、数が多くて移動しやすく、ピコ基地局の配置時に周辺の無線リソースの使用状況は完全に未知であるため、当該ピコ基地局は、自動周波数計画（Ａｕｔｏｍａｔｉｃ  Ｆｒｅｑｕｅｎｃｙ  Ｐｌａｎｎｉｎｇ）機能を有する必要がある。自動周波数計画は、基地局送受信機ＢＴＳが起動時に、配置された周波数ポイント集合から周波数を検索し、検索結果を基地局コントローラ（ＢＳＣと略称する）に報告して、ＢＳＣが、報告結果に基づいて、本基地局の動作周波数ポイントや隣接セルのパラメータなどを選択、設定する機能を実行することにより行われる。
【０００３】
ＧＳＭシステムにおいて、周波数補正チャネル（ＦＣＣＨと略称する）、同期チャネル（ＳＣＨと略称する）、放送制御チャネル（ＢＣＣＨと略称する）は、マルチフレームに組み合わせて送信される。図１は、従来技術に係るＧＳＭシステムのＢＣＣＨ搬送周波数で連続して送信される共通制御チャネルのマルチフレームの構成図である。図１に示すように、ＦＣＣＨとＳＣＨは、５１マルチフレームごとに５回送信され、ＢＣＣＨチャネルは、５１マルチフレームごとに１回送信され、ＢＣＣＨバーストパルス（ｂｕｒｓｔ  ｐｕｌｓｅ）を４つ含む。
【０００４】
周波数検索は、基準基地局のＦＣＣＨチャネルを検出してＳＣＨとＢＣＣＨチャネルの解析を行うことにより、基準基地局の基地局識別子ＢＳＩＣやグローバルセル識別子ＣＧＩなどの自動周波数計画に必要な情報を取得することを目的とする。
【０００５】
周波数検索アルゴリズムは、自動周波数計画の中心となるアルゴリズムである。伝統的な検索アルゴリズムは、主に次のステップ１〜ステップ３により行われる。
ステップ１において、まず基地局を携帯電話動作モードに設定し、検索すべき周波数ポイントに変調する。
ステップ２において、１フレームのデータを上り受信した後、この１フレームのデータのＲＳＳＩ（受信信号強度指示）の平均値を計算して、ＲＳＳＩが閾値ＲＳＳＩ＿Ｔｈ未満である場合、ＦＣＣＨの検出を行い、ＦＣＣＨチャネルを検出した場合、位置ずれを計算する。
ステップ３において、ＳＣＨ、ＢＣＣＨチャネルが、ＦＣＣＨチャネルが現れるフレームの次のフレームの同一タイムスロットに現れるため、ＦＣＣＨチャネルを検出すると、ＦＣＣＨチャネルの位置に基づいてＳＣＨ、ＢＣＣＨチャネルの出現位置をほぼ特定し、この位置近傍の小さな領域においてＳＣＨ、ＢＣＣＨチャネルの復調およびデコードを行うことができる。
【０００６】
以上の説明から、周波数検索において、まずＦＣＣＨチャネルを検索し、ＦＣＣＨチャネルの検出が成功した場合にのみ、後続するＳＣＨ、ＢＣＣＨの検出が可能であることが分かる。
【０００７】
ＦＣＣＨチャネルの検出時に、検出誤りや検出漏れを防止するために、複数回の検出が用いられる。すなわち、ＦＣＣＨチャネルがＮ個検出された場合にのみ、ＦＣＣＨチャネルの検出が成功したことが確認され、Ｎの値が大きければ大きいほど、誤警告の確率が小さい。検出漏れを防止するために、ＲＳＳＩの平均値の閾値は、あまり大きく設定してはならず、通常、−９５〜−１０５ｄＢｍの範囲に設定する。この結果、検出時間があまりに長くなる恐れがある。図１に示すように、ＢＣＨチャネルの組み合わせのタイプとして、５１マルチフレームのうち、１０フレーム毎の１フレームは、ＦＣＣＨ、５１マルチフレームの最後のフレームは、空きフレームであるため、ある周波数ポイントのデータは、１フレーム目のデータのＲＳＳＩの平均値が閾値ＲＳＳＩ＿Ｔｈ未満であれば、少なくとも１０×Ｎ+ｆｌｏｏｒ（Ｎ／５）（ただし、ｆｌｏｏｒは、整数化処理を示す）のマルチフレームのＦＣＣＨ検出が行われ、Ｎは５とする場合、少なくとも５１マルチフレームの検出が行われる。
【０００８】
実際の検出時には、ある周波数ポイントに同じ周波数または隣接する周波数による妨害が発生すると、ＦＣＣＨチャネルの複数回の検出は成功するが、ＳＣＨ、ＢＣＣＨチャネルの解析は失敗する場合がある。この場合に、より多くの時間がかかる。
【０００９】
単一の搬送波を用いる基地局の場合、ＢＣＣＨ搬送周波数のチャネルは、すべてフル電力で送信するため、ＲＳＳＩが要求を満たしていれば、基本的にはＦＣＣＨチャネルを検出できる。複数の搬送波を用いる基地局の場合は、ＢＣＣＨ搬送周波数でない周波数のそれぞれにＴＣＨチャネルが配置され、空きチャネルは電力をＯＦＦされる。図２に示すように、ＢＣＣＨ搬送周波数でない周波数において、空きのチャネル２とチャネル５の下り電力が基準基地局によりＯＦＦされる。これにより、本基地局は、上り受信時に、チャネル２とチャネル５のＲＳＳＩは小さいが、他のチャネルのＲＳＳＩは大きい。異なるユーザと基地局との距離が異なるため、各チャネルの上り受信電力も異なる。このような１フレーム分のデータを平均すると、そのＲＳＳＩが閾値の要求を満たすことができるが、このような周波数ポイントを検出するにも、長い時間がかかる。周波数の集合を配置する場合、通常配置される周波数ポイントは百個もある。マクロ基地局の多くは、複数の搬送波を用いる基地局であるため、検出の際に、幾つかのＢＣＣＨ周波数ポイントでない周波数を検出するのにかなりの時間が無駄にかかることは言うまでもない。この結果、基地局の起動時間が長くなり、基地局の性能が影響される。
【発明の概要】
【発明が解決しようとする課題】
【００１０】
本発明は、基地局が周波数ポイントの集合から周波数ポイントを検索する際に、ＦＣＣＨの検出前にＢＣＣＨ搬送周波数ポイントでない周波数をフィルタリングしないことにより、ＦＣＣＨの検出時間が長すぎて、基地局の性能が影響されるという従来技術の問題点に鑑みてなされたもので、上述した問題点の少なくとも１つを解決するために周波数検索装置及び方法を提供することを主な目的とする。
【課題を解決するための手段】
【００１１】
本発明の一態様によれば、周波数検索方法が提供される。
【００１２】
本発明に係る周波数検索方法は、ＧＳＭピコ基地局が、周波数ポイント集合のうちの１つの周波数ポイントを周波数検索する際に、基準基地局から送信された前記周波数ポイントのマルチフレームの１フレームを受信するステップと、前記フレームの所定期間の受信信号強度を示す指標であるＲＳＳＩ値に基づいて、前記周波数ポイントが放送制御チャネルＢＣＣＨの搬送周波数ポイントであるか否かを判定するステップと、前記周波数ポイントが放送制御チャネルＢＣＣＨの搬送周波数ポイントであると判定した場合、周波数補正チャネルＦＣＣＨの検出を行い、検出したＦＣＣＨに基づいて前記周波数ポイントの周波数ポイント情報を取得するステップと、前記周波数ポイントが放送制御チャネルＢＣＣＨの搬送周波数ポイントではないと判定した場合、前記周波数ポイントの周波数検索が失敗したものとして、周波数補正チャネルＦＣＣＨの検出を禁止し、次の周波数ポイントのマルチフレームの受信を待機するステップと、を含むことを特徴としている。
【００１３】
本発明の他の態様によれば、基地局が予め配置された周波数ポイント集合から周波数を検索するための周波数検索装置が提供される。
【００１４】
本発明に係る周波数検索装置は、ＧＳＭピコ基地局が、予め配置された周波数ポイント集合から周波数を検索するための周波数検索装置であって、前記周波数ポイント集合のうちの１つの周波数ポイントを検索する際に、基準基地局から送信された当該周波数ポイントのマルチフレームの１フレーム分のデータを受信する受信モジュールと、前記フレームの所定期間の受信信号強度を示す指標であるＲＳＳＩ値を取得する取得モジュールと、前記取得モジュールにより取得された所定期間のＲＳＳＩ値に基づいて、前記周波数ポイントが放送制御チャネルＢＣＣＨの搬送周波数ポイントであるか否かを判断し、前記周波数ポイントが放送制御チャネルＢＣＣＨの搬送周波数ポイントであると判断した場合には、ＦＣＣＨ検出モジュールをトリガリングし、前記周波数ポイントが放送制御チャネルＢＣＣＨの搬送周波数ポイントではないと判断した場合には、前記周波数ポイントの検索が失敗したものとして、前記ＦＣＣＨ検出モジュールをトリガリングすることなく、前記受信モジュールを、前記周波数ポイント集合のうちの次の周波数ポイントのマルチフレームの１フレーム分のデータを受信するようにトリガリングするＢＣＣＨ搬送周波数判断モジュールと、前記取得モジュールにより取得された前記フレーム内のすべての所定期間のＲＳＳＩ値に基づいて周波数補正チャネルＦＣＣＨを検出し、周波数補正チャネルＦＣＣＨを検出した場合、周波数ポイント情報取得モジュールをトリガリングし、周波数補正チャネルＦＣＣＨを検出しなかった場合、前記受信モジュールを、前記周波数ポイント集合のうちの次の周波数ポイントのマルチフレームの１フレーム分のデータを受信するようにトリガリングする前記ＦＣＣＨ検出モジュールと、前記ＦＣＣＨ検出モジュールにより検出された周波数補正チャネルＦＣＣＨに基づいて前記周波数ポイントの周波数ポイント情報を取得する前記周波数情報取得モジュールと、を備えることを特徴としている。
【発明の効果】
【００１５】
本発明の技術思想によれば、基地局は、周波数ポイント集合のうちの１つの周波数ポイントを検索する場合、当該周波数ポイントのＦＣＣＨを検出する前に、受信した１フレームの１つまたは複数の所定期間内の複数の所定時刻のＲＳＳＩ値に基づいて、当該周波数ポイントがＢＣＣＨ搬送周波数ポイントであるか否かを判断し、当該周波数ポイントがＢＣＣＨ搬送周波数ポイントである場合に、当該周波数ポイントのＦＣＣＨを検出することにより、従来の技術において、ある周波数ポイントの検出時、当該周波数ポイントがＢＣＣＨ搬送周波数ポイントであるかにかかわらず、ＦＣＣＨの検出を行うことで、周波数ポイントの検索においてＦＣＣＨの検出時間が長すぎて、基地局の性能が影響されるという問題を解決し、ＦＣＣＨの検出時間を減少させ、基地局の性能を向上させることができる。
【図面の簡単な説明】
【００１６】
ここで説明する図面は、本発明を理解させるためのものであり、本発明の一部を構成し、本発明における実施例と共に本発明を解釈するためのものであって、本発明を不当に限定するものではない。図面において、
【図１】従来の技術に係るＧＳＭシステムのＢＣＣＨ搬送周波数で連続して送信される共通制御チャネルのマルチフレームの構成図である。
【図２】従来の技術に係るＢＣＣＨ搬送周波数でない周波数のＲＳＳＩ（受信電力）を示す図である。
【図３】本発明の実施例に係る周波数検索方法を示すフローチャートである。
【図４】本発明の実施例に係る周波数ポイントがＢＣＣＨ搬送周波数ポイントであるかを判断するための流れ図である。
【図５】本発明の好適な実施例に係る周波数検索方法を実現するためのフローチャートである。
【図６】本発明の実施例に係る周波数検索装置の構成を示す図である。
【図７】本発明の実施例に係るＢＣＣＨ搬送周波数判断モジュール６３の構成を示す図である。
【図８】本発明の実施例に係るＦＣＣＨチャネル検出モジュール６４の構成を示す図である。
【発明を実施するための形態】
【００１７】
本発明の実施例に係る技術思想によれば、ＧＳＭピコ基地局は、周波数ポイント集合のうちの１つの周波数ポイントを検索する際に、当該周波数ポイントのＦＣＣＨを検出する前に、受信した１フレームの１つまたは複数の所定期間の複数の所定時刻のＲＳＳＩ値に基づいて、当該周波数ポイントがＢＣＣＨ搬送周波数ポイントであるか否かを判断し、当該周波数ポイントがＢＣＣＨ搬送周波数ポイントである場合に、当該周波数ポイントのＦＣＣＨを検出する。
【００１８】
なお、本願の実施例および実施例の特徴は、衝突がない場合には、互いに組み合わせることが可能である。
【００１９】
以下、図面を参照しながら、本発明の好適な実施例について説明する。なお、ここで説明する好適な実施例は、本発明を説明し解釈するものであるが、本発明を限定するものではない。
【００２０】
本発明の実施例によれば、ＧＳＭピコ基地局が予め配置された周波数ポイント集合から周波数を検索するための周波数検索方法が提供される。
【００２１】
本発明の実施例に係る周波数検索方法は、基地局が周波数ポイント集合のうちの１つの周波数ポイントを検索する際に、基準基地局から送信された周波数ポイントのマルチフレームの１フレームを受信するステップと、フレームの所定期間の受信信号強度ＲＳＳＩ値に基づいて、当該周波数ポイントが放送制御チャネルＢＣＣＨの搬送周波数ポイントであると判定した場合、周波数補正チャネルＦＣＣＨの検出を行い、検出したＦＣＣＨに基づいて周波数ポイントの周波数ポイント情報を取得するステップと、ＲＳＳＩ値に基づいて、当該周波数ポイントがＢＣＣＨ搬送周波数ポイントではないと判定した場合、当該周波数ポイントの周波数検索が失敗したと判定し、当該周波数ポイントのＦＣＣＨの検出を禁止し、次の周波数ポイントのマルチフレームの受信を待機するステップと、を主に含む。
【００２２】
関連技術において、基地局は、ＦＣＣＨを検出する前に、ＢＣＣＨ搬送周波数ポイントでない周波数ポイントをフィルタリングしない。本発明の実施例では、ＲＳＳＩ値は、周波数ポイントがＢＣＣＨ搬送周波数ポイントであるかの判定に用いることができるため、ＢＣＣＨ搬送周波数ポイントでない周波数ポイントを排除することができ、ＦＣＣＨの検出時間が少なくなり、基地局の性能が向上する。
【００２３】
以下、ＧＳＭピコ基地局を例に説明する。
【００２４】
図３は、本発明の実施例に係る周波数検索方法を示すフローチャートである。図３に示すように、本発明の実施例に係る周波数検索方法は、主に以下のステップＳ３０２〜ステップＳ３１０を含む。
【００２５】
ステップＳ３０２において、ＧＳＭピコ基地局は、周波数ポイント集合のうちの１つの周波数ポイントを周波数検索する際に、基準基地局から送信された当該周波数ポイントのマルチフレームの１フレーム分のデータを受信する。
【００２６】
具体的には、ＧＳＭピコ基地局は、１フレーム分のデータを一括受信し、バッファ領域に記憶する。この記憶データは、後述するステップＳ３０６において当該周波数ポイントのＢＣＣＨ搬送周波数ポイントのフィルタリングに関する判断に用いられる。なお、ステップＳ３０６において当該周波数ポイントがＢＣＣＨ搬送周波数ポイントであると判定したときは、ＦＣＣＨチャネルを検出して、１フレーム分のデータを受信すると、この１フレーム分のデータのＲＳＳＩの最大値と最小値を設定し、初期化する。
【００２７】
ステップＳ３０４において、このフレームのＮ（Ｎは１０２４以下の自然数）個の符号を取得し、複数の所定期間に割り当てる。
【００２８】
具体的には、フレーム中からＮ個の符号を取得することができ、各フレームには、８つのタイムスロットに受信されるデータが含まれるため、Ｎの値は、タイムスロットごとにＭ（０＜Ｍ≦１５６）個の符号が取得されている場合、Ｎ＝Ｍ×８により求めることができる。
【００２９】
ステップＳ３０６において、現在のフレームの少なくとも１つの所定期間のＲＳＳＩ値に基づいて、当該周波数ポイントがＢＣＣＨ搬送周波数ポイントであるか否かを判断し、ＢＣＣＨ搬送周波数ポイントである場合、ステップＳ３０８を実行し、ＢＣＣＨ搬送周波数ポイントではない場合、ステップＳ３１０を実行する。
【００３０】
上述したように、Ｎ個の符号を取得する期間に、Ｎ個のＩＱデータを取得し、それぞれの所定期間のＩＱデータに基づいて、対応する所定期間のＲＳＳＩ値を計算する。
【００３１】
具体的には、第１の所定期間のＲＳＳＩ値から決定されたフレーム内のＲＳＳＩの最大値とＲＳＳＩの最小値との差が、予め設定された差の閾値を超えた場合に、１つの所定期間のＲＳＳＩ値を検出するだけで、当該周波数ポイントがＢＣＣＨ搬送周波数ポイントではないと判定することができる。そうでない場合には、次の所定期間のＲＳＳＩの差を求めて引き続き判断する必要があり、後続のある所定期間のＲＳＳＩ値から決定されたフレーム内のＲＳＳＩの最大値とＲＳＳＩの最小値との差が差の閾値を超えるまでに、当該周波数ポイントがＢＣＣＨ搬送周波数ポイントではないと判定することができず、最後の所定期間のＲＳＳＩでも、フレーム内のＲＳＳＩの最大値とＲＳＳＩの最小値との差を差の閾値より大きくすることができないことを検出した場合、当該周波数ポイントがＢＣＣＨ搬送周波数ポイントであると判定する。
【００３２】
具体的な実施過程において、後続の所定期間のＲＳＳＩ値は、以下のように取得することができる。すなわち、現在の所定期間内にＲＳＳＩの差が差の閾値未満である場合、次の所定期間の開始時間を、現在の所定期間の開始時間に所定の時間間隔を加算したものとし、次の所定期間のＩＱデータを取得し、当該所定期間のＲＳＳＩ値を計算する。ＢＣＣＨ搬送周波数ポイントの検出の確実性や規則性を確保するために、各所定期間の時間長が同一で、隣接する所定期間の開始時間の時間間隔が、各所定期間の時間長以下であり、すなわち、各所定期間の符号数が同一で、隣接する２つの所定期間の開始時刻の間の符号数が、各所定期間の符号数以下であることが好ましい。
【００３３】
ステップＳ３０８において、当該周波数ポイントのＦＣＣＨチャネルを検出し、検出したＦＣＣＨチャネルに基づいて当該周波数ポイントの周波数ポイント情報を取得する。
【００３４】
ステップＳ３０６を実行する前に、現在のフレームのすべての所定期間のＲＳＳＩ値の平均値を計算し、この平均値が、予め設定された平均値の閾値未満であるか否かを判断し、閾値未満である場合には、ＦＣＣＨチャネルの検出を行い、閾値未満でない場合には、当該周波数ポイントの検出が失敗し、次の周波数ポイントのマルチフレームを待機する必要がある。
【００３５】
具体的には、ＦＣＣＨチャネルを検出すると、ＦＣＣＨチャネルのずれ位置を計算し、ＦＣＣＨの位置に基づいてＳＣＨチャネルとＢＣＣＨチャネルの位置を特定し、ＳＣＨチャネル、ＢＣＣＨチャネルの復調およびデコードを行う。
【００３６】
ステップＳ３１０において、当該周波数ポイントの周波数検索が失敗したと判定し、当該周波数ポイントのＦＣＣＨチャネルの検出を禁止し、次の周波数ポイントのマルチフレームの受信を待機する。
【００３７】
以下、上述したステップＳ３０６において現在の周波数ポイントがＢＣＣＨ搬送周波数ポイントであるかを判断することについて、詳細に説明する。
【００３８】
図４は、本発明の実施例に係る周波数ポイントがＢＣＣＨ搬送周波数ポイントであるかを判断するためのフローチャートである。図４に示すように、この流れは、ステップＳ４０２〜ステップＳ４０６を含む。
【００３９】
具体的な実施過程において、現在のフレームの１つの所定期間内の符号数をＷｉｎ＿Ｌｅｎとし、隣接する所定期間の開始時間の時間間隔内の符号数をＳｌｉｄｅ＿Ｌｅｎとする。ただし、Ｓｌｉｄｅ＿Ｌｅｎ≦Ｗｉｎ＿Ｌｅｎ＜Ｍ（１タイムスロットの符号数）である。
【００４０】
ステップＳ４０２において、１つの所定期間のＲＳＳＩ値を取得し、このＲＳＳＩ値に基づいて現在のフレームのＲＳＳＩの最大値またはフレームのＲＳＳＩの最小値を更新し、現在のフレームのＲＳＳＩの最大値とフレームのＲＳＳＩの最小値との差を、判断すべき差とし、ステップＳ４０４を実行する。
【００４１】
具体的には、ある所定期間のＷｉｎ＿Ｌｅｎ個のＩＱデータを取得することにより、当該所定期間のＲＳＳＩ値を計算する。
【００４２】
ある所定期間のＲＳＳＩ値を計算した後、以下のように現在のフレームのＲＳＳＩの最大値またはフレームのＲＳＳＩの最小値を更新する。
現在の所定期間のＲＳＳＩ値が、前に記録された現在のフレームのＲＳＳＩの最大値よりも大きいか否かを判断し、大きいと判断した場合には、現在のフレームのＲＳＳＩの最大値を、現在の所定期間のＲＳＳＩ値に更新し、大きくないと判断した場合には、前に記録された現在のフレームのＲＳＳＩの最大値のままにする。
現在の所定期間のＲＳＳＩ値が、前に記録された現在のフレームのＲＳＳＩの最小値よりも小さいか否かを判断し、小さいと判断した場合には、現在のフレームのＲＳＳＩの最小値を、現在の所定期間のＲＳＳＩ値に更新し、小さくないと判断した場合には、前に記録された現在のフレームのＲＳＳＩの最小値のままにする。
【００４３】
ステップＳ４０４において、上記判断すべき差が、予め設定された差の閾値を超えているか否かを判断し、超えていると判断した場合には、当該周波数ポイントがＢＣＣＨ搬送周波数ポイントではないと判定し、超えていないと判断した場合には、ステップＳ４０６を実行する。
【００４４】
上記予め設定された差の閾値は、前の複数回の実テストの結果から決定することができる。
【００４５】
ステップＳ４０６において、フレームには、ＲＳＳＩ値を計算されていない所定期間があるか否かを判断し、ＲＳＳＩ値を計算されていない所定期間があると判断した場合には、次の所定期間のＲＳＳＩ値を計算し、このＲＳＳＩ値に基づいて現在のフレームのＲＳＳＩの最大値またはＲＳＳＩの最小値を更新し、現在のフレームのＲＳＳＩの最大値とフレームのＲＳＳＩの最小値との差を、判断すべき差として、上記ステップＳ４０４に戻る。なお、ステップＳ４０６において、ＲＳＳＩ値を計算されていない所定期間がないと判断した場合には、上記周波数ポイントがＢＣＣＨ搬送周波数ポイントであると判定する。
【００４６】
ステップＳ４０４の実行において、１つの所定期間のＲＳＳＩにより現在のフレームのＲＳＳＩの最大値または現在のフレームのＲＳＳＩの最小値が更新されることにより、現在のフレームのＲＳＳＩの最大値とＲＳＳＩの最小値との差が差の閾値よりも大きくなれば、当該周波数ポイントがＢＣＣＨ搬送周波数ポイントではないと判定することができる。しかし、具体的な実施過程においては、当該周波数ポイントはＢＣＣＨ搬送周波数ポイントであるが、基準基地局からの送信信号の不安定や本基地局の受信などの原因により、ある所定期間のＲＳＳＩ値の変動が大きくなり、一度、差が予め設定された差の閾値を超えているだけで、当該周波数ポイントがＢＣＣＨ搬送周波数ポイントではないと判定すると、ＦＣＣＨの検出漏れが発生してしまう。
【００４７】
ＢＣＣＨ搬送周波数ポイントの検出精度を向上させるために、以下のように上述した方法を最適化することが好ましい。
【００４８】
（１）判断すべき差が予め設定された差の閾値を超えていると判定すると、判断すべき差が予め設定された差の閾値を超えた累計回数を記録する。
ＧＳＭピコ基地局は、上記周波数のマルチフレームの１フレーム分のデータを受信するとき、上記累計回数を初期化し、例えば０に初期化し、現在の所定期間について、差が、予め設定された差の閾値を超えていると判断した場合、当該周波数ポイントがＢＣＣＨ搬送周波数ポイントでないと判定することなく、予め設定された差の閾値を超えた累計回数を記録し、差が予め設定された差の閾値を超えないと判断した場合、累計回数をそのままに維持する。
（２）上記累計回数が、予め設定された累計閾値を超えているか否かを判断し、超えている場合、当該周波数ポイントがＢＣＣＨ搬送周波数ポイントでないと判定し、超えていない場合には、上記ステップＳ４０６を実行する。
【００４９】
以下、好適な実施例を参照しながら、本発明の実施例に係る周波数検索方法の実現について詳細に説明する。
【００５０】
図５は、本発明の好適な実施例に係る周波数検索方法を実現するためのフローチャートである。図５に示すように、このフローチャートは、以下のステップＳ５０１〜ステップＳ５０６を含む。
【００５１】
ステップＳ５０１において、ＧＳＭピコ基地局は、タイムスロットごとに１フレーム分のデータを受信する。
タイムスロット毎のデータの中心のＭ（０＜Ｍ≦１５６）個のＩＱデータを抽出し、バッファ領域に記憶する（１つのサンプリングポイントのデータのみを抽出するものとする）。８つのタイムスロットの場合、ＩＱデータは８×Ｍ個あり、記憶された８×Ｍ個のＩＱデータは、[Ｉ(０),Ｑ(),……Ｉ(８＊Ｍ−１),Ｑ(８＊Ｍ−１)]である。
このフレームのＲＳＳＩの最大値の変数ＲＳＳＩｍａｘ、ＲＳＳＩの最小値の変数ＲＳＳＩｍｉｎ、累計回数の変数ＲＳＳＩＥｒｒを、ＲＳＳＩｍａｘ＝０、ＲＳＳＩｍｉｎ＝２５５、ＲＳＳＩＥｒｒ＝０になるように初期化する。
【００５２】
ステップＳ５０２において、１つの所定期間（本実施例では、所定期間は、ウィンドウ長（ｗｉｎｄｏｗ  ｌｅｎｇｔｈ）という）のＲＳＳＩ値を計算して記録する。
ウィンドウ長のＩＱデータ数は、Ｗｉｎ＿Ｌｅｎであり、スライドウィンドウ長のＩＱデータは、数がＳｌｉｄｅ＿Ｌｅｎであり、今までｋ回スライドした場合、[Ｉ(ｋ＊Slide#Len)，Ｑ(ｋ＊Slide#Len)，……，Ｉ(ｋ＊Slide#Len+Win#Len-1)，Ｑ(ｋ＊Slide#Len+Win#Len-1) ]というデータを抽出してＲＳＳＩの計算を行う。ただし、ｋの値は、以下の範囲である。
0005576495.tif 000002
【００５３】
Ｓｌｉｄｅ＿Ｌｅｎ≦Ｗｉｎ＿Ｌｅｎ＜Ｍとすることが好ましい。また、演算速度を確保するために、Ｓｌｉｄｅ＿ＬｅｎとＷｉｎ＿Ｌｅｎの値を２の整数冪とすることが好ましい。ＲＳＳＩ値は、バッファ領域からＷｉｎ＿Ｌｅｎ個のＩＱデータを抽出し、受信信号の電力を見積ることにより計算される。
【００５４】
ステップＳ５０３において、上述したＲＳＳＩの最大値と最小値との差に基づいて、上記データを送信する周波数ポイントがＢＣＣＨ搬送周波数ポイントであるかを判断する。
【００５５】
ステップＳ５０３は、具体的に次のステップＳ５０３＿１〜Ｓ５０３＿３に分けることができる。
【００５６】
ステップＳ５０３＿１において、このウィンドウ長のＲＳＳＩ値に基づいて、現在のフレームのＲＳＳＩｍａｘとＲＳＳＩｍｉｎを更新する。
ＲＳＳＩを計算するうちに、このウィンドウ長のＲＳＳＩｍａｘ、ＲＳＳＩｍｉｎを更新する。更新ルールは、以下の通りである。
（１）ＲＳＳＩ値がＲＳＳＩｍａｘよりも大きいか否かを判断し、大きいと判断した場合には、ＲＳＳＩｍａｘ＝ＲＳＳＩとし、大きくないと判断した場合には、ＲＳＳＩｍａｘをそのままに維持する。
（２）計算されたＲＳＳＩ値がＲＳＳＩｍｉｎよりも小さいか否かを判断し、小さいと判断した場合には、ＲＳＳＩｍｉｎ＝ＲＳＳＩとし、小さくないと判断した場合には、ＲＳＳＩｍｉｎをそのままに維持する。
【００５７】
Ｓ５０３＿２において、ＲＳＳＩｍａｘ-ＲＳＳＩｍｉｎが、予め設定された差の閾値であるＲＳＳＩ＿Ｖａｒよりも大きいか否かを判断し、大きいと判断した場合には、ＲＳＳＩｅｒｒ＝ＲＳＳＩｅｒｒ+１とし、大きくないと判断した場合には、ＲＳＳＩＥｒｒの値をそのままに維持する。閾値ＲＳＳＩ＿Ｖａｒは、実際のテスト結果から決定することができる。
【００５８】
Ｓ５０３＿３において、ＲＳＳＩｅｒｒが、予め設定された累計閾値であるＲＳＳＩｅｒｒ＿Ｔｈよりも大きいか否かを判断する。大きいと判断した場合には、当該周波数ポイントがＢＣＣＨ搬送周波数ポイントではないと判定し、ステップＳ５０４を実行する。大きくないと判断した場合には、当該周波数ポイントがＢＣＣＨ搬送周波数ポイントであると判定し、ステップＳ５０５を実行する。ＲＳＳＩｅｒｒ＿Ｔｈは、下式により計算される。
0005576495.tif 000003
【００５９】
ステップＳ５０４において、当該周波数ポイントの検出が失敗したことをＢＳＣに報告し、周波数検索動作モードを解除し、ＢＳＣによる次の検出周波数ポイントの送信を待機する。
【００６０】
ステップＳ５０５において、フレームのすべてのウィンドウ長のＲＳＳＩ値の計算が完了したか否かを判断し、完了している場合には、ステップＳ５０６を実行し、完了していない場合には、ＩＱデータをＳｌｉｄｅ＿Ｌｅｎ個分、後ろにスライドさせ、ステップＳ５０２を実行する。
【００６１】
ステップＳ５０６において、現在のフレームのすべてのウィンドウ長のＲＳＳＩの平均値を計算する。この平均値が、平均値の閾値であるＲＳＳＩ＿Ａｖｇより小さい場合には、ＦＣＣＨの検出を行い、平均値の閾値であるＲＳＳＩ＿Ａｖｇより小さくない場合には、ステップＳ５０４を実行する。
【００６２】
ＦＣＣＨの検出が失敗した場合、当該周波数ポイントの検出が失敗したことをＢＳＣに報告する。ＦＣＣＨの検出が成功した場合には、ＦＣＣＨチャネルの位置に基づいてＳＣＨチャネルの出現位置をほぼ特定し、この位置近傍の小さな領域においてＳＣＨチャネルの復調とデコードを行うことができる。ＳＣＨの検出が失敗した場合、当該周波数ポイントの検出が失敗したことをＢＳＣに報告し、ＳＣＨの検出が成功した場合、検出したＳＣＨの位置に基づいてＢＣＣＨの出現位置を特定し、ＢＣＣＨの復調とデコードを行う。ＢＣＣＨの検出が失敗した場合、当該周波数ポイントの検出が失敗したことをＢＳＣに報告し、ＢＣＣＨの検出が成功した場合、ＢＣＣＨのデコード結果をＢＳＣに報告する。
【００６３】
本発明の実施例によれば、ＧＳＭピコ基地局に配設され、ＧＳＭピコ基地局が予め配置された周波数ポイント集合から周波数を検索するための周波数検索装置が提供される。
【００６４】
図６は、本発明の実施例に係る周波数検索装置の構成を示す図である。本発明の実施例に係る周波数検索装置は、受信モジュール６１と、取得モジュール６２と、ＢＣＣＨ搬送周波数判断モジュール６３と、ＦＣＣＨチャネル検出モジュール６４と、周波数ポイント情報取得モジュール６５とを備える。受信モジュール６１は、周波数ポイント集合のうちの１つの周波数ポイントを検索する際に、共通制御チャネルにおける基準基地局から送信された当該周波数ポイントのマルチフレームの１フレーム分のデータを受信するものである。取得モジュール６２は、上記フレームの少なくとも１つの所定期間のＲＳＳＩ値を取得するものである。ＢＣＣＨ搬送周波数判断モジュール６３は、取得モジュール６２により取得された少なくとも１つの所定期間のＲＳＳＩ値に基づいて、当該周波数ポイントが放送制御チャネルＢＣＣＨの搬送周波数ポイントであるか否かを判断する。ＢＣＣＨ搬送周波数判断モジュール６３は、当該周波数ポイントがＢＣＣＨ搬送周波数ポイントである場合には、ＦＣＣＨチャネル検出モジュール６４をトリガリング（ｔｒｉｇｇｅｒｉｎｇ）し、当該周波数ポイントがＢＣＣＨ搬送周波数ポイントではない場合には、当該周波数ポイントの周波数検索が失敗したと判定し、受信モジュール６１を、周波数ポイント集合のうちの次の周波数ポイントのマルチフレームの１フレーム分のデータを受信するようにトリガリングする。ＦＣＣＨチャネル検出モジュール６４は、取得モジュール６２により取得された上記フレームのすべての所定期間のＲＳＳＩ値に基づいてＦＣＣＨチャネルを検出し、ＦＣＣＨチャネルを検出した場合には、周波数ポイント情報取得モジュール６５をトリガリングし、検出しなかった場合には、受信モジュール６１を、周波数ポイント集合のうちの次の周波数ポイントのマルチフレームの１フレーム分のデータを受信するようにトリガリングするものである。周波数ポイント情報取得モジュール６５は、ＦＣＣＨチャネル検出モジュール６４により検出されたＦＣＣＨチャネルに基づいて、当該周波数ポイントの周波数ポイント情報を取得するものである。
【００６５】
また、図７は、本発明の実施例に係るＢＣＣＨ搬送周波数判断モジュール６３の構成を示す図である。図７に示すように、上記ＢＣＣＨ搬送周波数判断モジュール６３は、ＲＳＳＩ差決定サブモジュール６３１と、ＲＳＳＩ差判断サブモジュール６３２と、累計回数設定サブモジュール６３３と、累計回数判断サブモジュール６３４と、終了判断サブモジュール６３５を含んでもよい。ＲＳＳＩ差決定サブモジュール６３１は、取得モジュール６２により取得された少なくとも１つの所定期間のうちの１所定期間のＲＳＳＩ値を、現在の所定期間のＲＳＳＩ値とし、この現在の所定期間のＲＳＳＩ値に基づいて、前フレーム内のＲＳＳＩの最大値と上記フレーム内のＲＳＳＩの最小値との差を決定し、ＲＳＳＩ差判断サブモジュール６３２に出力するものである。ＲＳＳＩ差判断サブモジュール６３２は、入力された差が、予め設定された差の閾値を超えているか否かを判断し、超えている場合には、累計回数設定サブモジュール６３３をトリガリングし、超えていない場合には、累計回数判断サブモジュール６３４をトリガリングするものである。累計回数設定サブモジュール６３３は、差の閾値を超えた累計回数を設定し、累計回数判断サブモジュール６３４をトリガリングするものである。累計回数判断サブモジュール６３４は、上記フレームの累計回数が、予め設定された累計閾値を超えているか否かを判断し、超えている場合には、受信モジュール６１を、周波数ポイント集合のうちの次の周波数ポイントのマルチフレームの１フレーム分のデータを受信するようにトリガリングし、超えていない場合には、終了判断サブモジュール６３５をトリガリングするものである。終了判断サブモジュール６３５は、現在のフレームにはＲＳＳＩ値を取得されていない所定期間があるか否かを判断する。終了判断サブモジュール６３５は、ＲＳＳＩ値を取得されていない所定期間があると判断した場合には、ＲＳＳＩ差決定サブモジュール６３１を、取得モジュール６２により取得された少なくとも１つの所定期間の次の所定期間のＲＳＳＩ値を処理するようにトリガリングし、ＲＳＳＩ値を取得されていない所定期間がないと判断した場合には、ＦＣＣＨチャネル検出モジュール６４をトリガリングする。
【００６６】
また、図８は、本発明の実施例に係るＦＣＣＨチャネル検出モジュール６４の構成を示す図である。図８に示すように、上記ＦＣＣＨチャネル検出モジュール６４は、ＲＳＳＩ平均値決定サブモジュール６４１と、ＲＳＳＩ平均値判断サブモジュール６４２と、ＦＣＣＨチャネル検出サブモジュール６４３とを含んでもよい。ＲＳＳＩ平均値決定サブモジュール６４１は、取得モジュール６２により取得されたすべての所定期間のＲＳＳＩ値によって上記フレームのＲＳＳＩの平均値を決定する。ＲＳＳＩ平均値判断サブモジュール６４２は、上記フレームのＲＳＳＩの平均値が、予め設定された平均値の閾値未満であるか否かを判断する。ＲＳＳＩ平均値判断サブモジュール６４２は、上記フレームのＲＳＳＩの平均値が予め設定された平均値の閾値未満であると判断した場合には、ＦＣＣＨチャネル検出サブモジュール６４２をトリガリングし、上記フレームのＲＳＳＩの平均値が予め設定された平均値の閾値未満でないと判断した場合には、受信モジュール６１を、周波数ポイント集合のうちの次の周波数ポイントのマルチフレームの１フレーム分のデータを受信するようにトリガリングする。ＦＣＣＨチャネル検出サブモジュール６４３は、ＦＣＣＨチャネルを検出する。
【００６７】
なお、図面のフローチャートに示したステップは、コンピュータが実行可能な１組のコメントのようなコンピュータシステムに実行してもよい。フローチャートにはその論理的手順が示されているが、一部の場合には、ここで示された又は説明されたステップを、この手順と異なる順に実行してもよい。
【００６８】
本発明の実施例に係る技術思想によれば、ＧＳＭピコ基地局は、周波数ポイント集合のうちの１つの周波数ポイントを検索する場合、当該周波数ポイントのＦＣＣＨを検出する前に、受信した１フレームの１つまたは複数の所定期間内の複数の所定時刻のＲＳＳＩ値に基づいて、当該周波数ポイントがＢＣＣＨ搬送周波数ポイントであるかを判断し、当該周波数ポイントがＢＣＣＨ搬送周波数ポイントである場合に当該周波数ポイントのＦＣＣＨを検出することにより、従来の技術において、ある周波数ポイントの検出時に、当該周波数ポイントがＢＣＣＨ搬送周波数ポイントであるかにかかわらず、ＦＣＣＨの検出を行うことで、周波数ポイントの検索においてＦＣＣＨの検出時間が長すぎて、基地局の性能が影響されるという問題を解決し、ＦＣＣＨの検出時間を減少させ、基地局の性能を向上させる効果を奏することができる。
【００６９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005576495.tif 000005
【図２】
0005576495.tif 000006
【図３】
0005576495.tif 000007
【図４】
0005576495.tif 000008
【図５】
0005576495.tif 000009
【図６】
0005576495.tif 000010
【図７】
0005576495.tif 000011
【図８】
0005576495.tif 000012